(57)【要約】  風向調整板は、空気調和機の室内機の吹出口から吹き出される空気の上下方向の風向を調整する。風向調整板は、長尺部材のベース板と長尺部材の複数のカバー板とを有する。複数のカバー板のそれぞれは、長手方向がベース板の長手方向に沿い、かつ複数のカバー板の他のカバー板と隣接するよう、ベース板上に配設されている。複数のカバー板の長手方向の長さは、ベース板の長手方向の長さよりも短く、かつ、複数のカバー板のそれぞれの長手方向の長さの合計が前記ベース板の長手方向の長さと等しい。複数のカバー板において、隣接しているカバー板の対向している端部同士が溶着されている。ベース板の左側の領域に配置されるカバー板の左側端部と、ベース板の左側端部とが溶着されている。ベース板の右側の領域に配置されるカバー板の右側端部と、ベース板の右側端部とが溶着されている。
2018173141.tif 000002
【特許請求の範囲】
【請求項１】
吸込口及び吹出口が形成された筐体と、
前記筐体の内側に配設され、前記吸込口から空気を吸い込み、空調された空気を前記吹出口から吹き出す送風機と、
前記筐体の内側の、前記吸込口と前記吹出口との間の風路に配設された熱交換器と、
前記吹出口から吹き出される空気の上下方向の風向を調整する風向調整板とを備え、
前記風向調整板は、長尺部材のベース板と、長尺部材の複数のカバー板とを有し、
前記複数のカバー板のそれぞれは、長手方向が前記ベース板の長手方向に沿い、かつ前記複数のカバー板の他のカバー板と隣接するよう、前記ベース板上に配設されており、
前記複数のカバー板のそれぞれの長手方向の長さは、前記ベース板の長手方向の長さよりも短く、かつ、前記複数のカバー板のそれぞれの長手方向の長さの合計が前記ベース板の長手方向の長さと等しく、
前記複数のカバー板において、隣接しているカバー板の対向している端部同士が溶着され、
前記複数のカバー板のうち前記ベース板の長手方向の両端部の一方の端部の側に配置される第１カバー板の、前記ベース板の前記一方の端部の側の第１端部と、前記ベース板の前記一方の端部とが溶着され、
前記複数のカバー板のうち前記ベース板の長手方向の両端部の他方の端部の側に配置される第２カバー板の、前記ベース板の前記他方の端部の側の第２端部と、前記ベース板の前記他方の端部とが溶着されている空気調和機の室内機。
【請求項２】
前記隣接しているカバー板の一方のカバー板の両端部のうち、前記隣接しているカバー板の他方のカバー板に対向している端部には、前記他方のカバー板の側に突出する凸部が形成され、
前記隣接しているカバー板の前記他方のカバー板の両端部のうち、前記隣接しているカバー板の前記一方のカバー板に対向している端部には、前記一方のカバー板の側に突出する凸部が形成され、
前記一方のカバー板の前記凸部と前記他方のカバー板の前記凸部とが溶着され、
前記ベース板の前記一方の端部及び前記他方の端部には、上方向に突出する凸部がそれぞれ形成され、
前記ベース板の前記一方の端部の前記凸部の端面に前記第１カバー板の前記第１端部が当接した状態で溶着され、
前記ベース板の前記他方の端部の前記凸部の端面に前記第２カバー板の前記第２端部が当接した状態で溶着されている請求項１に記載の空気調和機の室内機。
【請求項３】
前記隣接しているカバー板の一方のカバー板の両端部のうち、前記隣接しているカバー板の他方のカバー板に対向している端部には、前記他方のカバー板の側に突出する凸部が形成され、
前記隣接しているカバー板の前記他方のカバー板の両端部のうち、前記隣接しているカバー板の前記一方のカバー板に対向している端部には、前記一方のカバー板の側に突出する凸部が形成され、
前記一方のカバー板の前記凸部と前記他方のカバー板の前記凸部とが溶着され、
前記ベース板の前記一方の端部及び前記他方の端部には、上方向に突出する凸部がそれぞれ形成され、
前記第１カバー板の前記第１端部及び前記第２カバー板の前記第２端部には、前記風向調整板の外方へ延びる凸部がそれぞれ形成され、
前記ベース板の前記一方の端部の前記凸部と前記第１カバー板の前記第１端部の前記凸部とが溶着され、
前記ベース板の前記他方の端部の前記凸部と前記第２カバー板の前記第２端部の前記凸部とが溶着されている請求項１に記載の空気調和機の室内機。
【請求項４】
前記風向調整板は、前記複数のカバー板として前記第１カバー板と前記第２カバー板の２枚のカバー板を有し、前記第１カバー板の前記第１端部とは反対側の第３端部と、前記第２カバー板の前記第２端部とは反対側の第４端部とが対向するよう、前記第１カバー板と前記第２カバー板は隣接しており、
前記第１カバー板の前記第１端部及び前記第３端部において、前記凸部が上側に形成された下側が切り欠かれた形状の段部が構成されており、
前記第２カバー板の前記第２端部において、上側に凸部が形成された下側が切り欠かれた形状の段部が形成され、前記第２カバー板の前記第４端部において、下側に前記凸部が形成された上側が切り欠かれた形状の段部が構成されており、
前記第１カバー板の前記第３端部の前記下側が切り欠かれた形状の段部と前記第２カバー板の前記第４端部の前記上側が切り欠かれた形状の段部とが嵌合し、
前記第１カバー板の前記第１端部の前記下側が切り欠かれた形状の段部と、前記ベース部材の前記一方の端部の前記凸部とが嵌合し、
前記第２カバー板の前記第２端部の前記下側が切り欠かれた形状の段部と、前記ベース部材の前記他方の端部の前記凸部とが嵌合している請求項３に記載の空気調和機の室内機。
【請求項５】
前記風向調整板は、前記複数のカバー板として前記第１カバー板と前記第２カバー板の２枚のカバー板を有し、前記第１カバー板の前記第１端部とは反対側の第３端部と、前記第２カバー板の前記第２端部とは反対側の第４端部とが対向するよう、前記第１カバー板と前記第２カバー板は隣接しており、
前記ベース部材の前記一方の端部の前記凸部の先端には、前記上下風向調整板の内側に向かって折り曲げられた折曲部が形成され、下側が切り欠かれた形状の段部が構成されており、
前記第１カバー板の前記第１端部において、下側に前記凸部が形成された上側が切り欠かれた形状の段部が構成され、前記第３端部において、上側に凸部が形成された下側が切り欠かれた形状の段部が構成されており、
前記第２のカバー板の前記第４端部において、下側に前記凸部が形成された上側が切り欠かれた形状の段部が構成され、前記第２端部において、上側に凸部が形成された下側が切り欠かれた形状の段部が構成されており、
前記第１カバー板の前記第３端部の前記下側が切り欠かれた形状の段部と前記第２カバー板の前記第４端部の前記上側が切り欠かれた形状の段部とが嵌合し、
前記第１カバー板の前記第１端部の前記上側が切り欠かれた形状の段部と、前記ベース部材の前記一方の端部の前記下側が切り欠かれた形状の段部とが嵌合し、
前記第２カバー板の前記第２端部の前記下側が切り欠かれた形状の段部と、前記ベース部材の前記他方の端部の前記凸部とが嵌合している請求項３に記載の空気調和機の室内機。
【発明の詳細な説明】
【技術分野】
【０００１】
本発明は、空気調和機の室内機に関するものである。
【背景技術】
【０００２】
従来、空気調和機の室内機は、筐体と、送風機と、熱交換器と上下風向板とを備えたものがある。筐体には吸込口及び吹出口が形成されている。送風機は、筐体の内側に配設されており、筐体の吸込口から吸い込んだ空気を筐体の吹出口から吹き出すよう構成されている。熱交換器は、筐体の内側において、吸込口と吹出口との間の風路に配設されている。筐体には、吹出口から空調空間に吹き出される気流の上下方向の風向を調整する上下風向板が設けられている。例えば、特許文献１に記載の上下風向板は、ベース板とカバー板とを有しており、ベース板はカバー板が中空部を形成するようカバー板に溶着されている。
【先行技術文献】
【特許文献】
【０００３】
【特許文献１】特開２０１５−３１４５４号公報
【発明の概要】
【発明が解決しようとする課題】
【０００４】
特許文献１の上下風向板のベース板及びカバー板は長尺部材であり、長手方向が筐体の左右方向に延びるよう配設されるものである。そのため、ベース板をカバー板に溶着する際にずれが発生する可能性がある。ずれが発生すると、例えば一部が溶着できていない溶着不足が発生する可能性があり、歩留まりが悪くなることが懸念される。【０００５】
本発明は、上記のような課題を解決するためになされたものであり、上下風向板を構成する各部材の溶着のずれ並びに溶着不足の発生を抑制することにより、歩留まりが改善され、組立性に優れた上下風向板を有する空気調和機の室内機を提供するものである。
【課題を解決するための手段】
【０００６】
本発明に係る空気調和機の室内機は、吸込口及び吹出口が形成された筐体と、前記筐体の内側に配設され、前記吸込口から空気を吸い込み、空調された空気を前記吹出口から吹き出す送風機と、前記筐体の内側の、前記吸込口と前記吹出口との間の風路に配設された熱交換器と、前記吹出口から吹き出される空気の上下方向の風向を調整する風向調整板とを備え、前記風向調整板は、長尺部材のベース板と、長尺部材の複数のカバー板とを有し、前記複数のカバー板のそれぞれは、長手方向が前記ベース板の長手方向に沿い、かつ前記複数のカバー板の他のカバー板と隣接するよう、前記ベース板上に配設されており、前記複数のカバー板のそれぞれの長手方向の長さは、前記ベース板の長手方向の長さよりも短く、かつ、前記複数のカバー板のそれぞれの長手方向の長さの合計が前記ベース板の長手方向の長さと等しく、前記複数のカバー板において、隣接しているカバー板の対向している端部同士が溶着され、前記複数のカバー板のうち前記ベース板の長手方向の両端部の一方の端部の側に配置される第１カバー板の、前記ベース板の前記一方の端部の側の第１端部と、前記ベース板の前記一方の端部とが溶着され、前記複数のカバー板のうち前記ベース板の長手方向の両端部の他方の端部の側に配置される第２カバー板の、前記ベース板の前記他方の端部の側の第２端部と、前記ベース板の前記他方の端部とが溶着されているものである。
【発明の効果】
【０００７】
本発明に係る空気調和機の室内機によれば、風向調整板において、長手方向の長さがベース板よりも短い部材であるカバー板が複数、ベース板上に配置され、ベース板とそれぞれ溶着されている。従って、長手方向の長さがベース板と同一のカバー板を配置して、ベース板と溶着する場合に比べ、溶着ずれ及び溶着不足の発生が抑制される。その結果、風向調整板における歩留まりが改善される。
【図面の簡単な説明】
【０００８】
【図１】本発明の実施の形態１に係る空気調和機の室内機の斜視図である。
【図２】本発明の実施の形態１に係る空気調和機の室内機の断面図である。
【図３】本発明の実施の形態１に係る空気調和機の室内機の下側上下風向板の分解斜視図である。
【図４】本発明の実施の形態１に係る空気調和機の室内機の下側上下風向板の斜視図である。
【図５】本発明の実施の形態１に係る空気調和機の室内機の下側上下風向板の断面図である。
【図６】本発明の実施の形態１に係る空気調和機の室内機の下側上下風向板におけるカバー板の接合部を示す断面図である。
【図７】本発明の実施の形態２に係る空気調和機の室内機の下側上下風向板におけるカバー板の接合部の断面を分解して示す図である。
【図８】本発明の実施の形態２に係る空気調和機の室内機の下側上下風向板におけるカバー板の接合部の断面を示す図である。
【図９】本発明の実施の形態３に係る空気調和機の室内機の下側上下風向板におけるカバー板の接合部の断面を分解して示す図である。
【図１０】本発明の実施の形態３に係る空気調和機の室内機の下側上下風向板におけるカバー板の接合部の断面を示す図である。
【発明を実施するための形態】
【０００９】
以下に、本発明における空気調和機の室内機の実施の形態を図面に基づいて詳細に説明する。なお、以下に説明する実施の形態によって本発明が限定されるものではない。また、以下の図面においては各構成部材の大きさは実際の装置とは異なる場合がある。
【００１０】
実施の形態１．
図１は、本発明の実施の形態１に係る空気調和機の室内機の斜視図である。図２は、本発明の実施の形態１に係る空気調和機の室内機の断面図である。室内機１００は、筐体１と、送風機２と、熱交換器３と、フィルター４と、吹出口組立品５、フロントパネル６を備えている。フロントパネル６は筐体の前方に配設されている。吸込口１ａは筐体１の上面に形成され、吹出口１ｂは筐体１の前面下部に形成されている。送風機２は、筐体１の内部に配設されている。送風機２は、吸込口１ａと吹出口１ｂとの間の風路において、吹出口組立品５とリアガイド７との間に配置される。送風機２は、吸込口１ａから室内の空気を吸い込み、吹出口１ｂから空調された空気を吹き出す。熱交換器３は、例えばフィンチューブ型の熱交換器であり、筐体１の内部において、吸込口１ａと吹出口１ｂとの間の風路に配設されている。熱交換器３には冷媒が供給されている。
【００１１】
吹出口組立品５は、吸込口１ａに配設されている。吹出口組立品５には、吹出口１ｂから吹き出される空気の風向の上下を調整する上側上下風向板８及び下側上下風向板９が設けられている。尚、下側上下風向板９は、本発明における風向調整板である。
【００１２】
図３は、本発明の実施の形態１に係る空気調和機の室内機の下側上下風向板の分解斜視図である。図４は、本発明の実施の形態１に係る空気調和機の室内機の下側上下風向板の斜視図である。図５は、本発明の実施の形態１に係る空気調和機の室内機の下側上下風向板の断面図である。図３及び図４は、下側上下風向板９を室内機１００の前面側から示している。下側上下風向板９は、ベース板１０と、カバー板２０と、カバー板３０とを備えている。ベース板１０は長尺部材であり、全体として矩形の形状を有する薄板状の部材である。ベース板１０の外縁部には全周にわたって、上方向に突出する凸状のリブ１１が形成されている。ベース板１０の長手方向の左側端部及び右側端部には、それぞれ連結部１２と連結部１３が設けられている。また、ベース板１０の長手方向の中央部には連結部１４が設けられている。ベース板１０は連結部１２、１３、及び１４を介して筐体１に取り付けられる。図５は、図４に示す下側上下風向板９を連結部１４よりもやや右寄りの位置で切断して示す断面図である。
【００１３】
ベース板１０の左側端部は、本発明のベース板の長手方向の両端部の一方の端部である。ベース板１０の右側端部は、本発明のベース板の長手方向の両端部の他方の端部である。カバー板２０は、本発明の第１カバー板であり、また、隣接しているカバー板の一方のカバー板である。カバー板３０は、本発明の第２カバー板であり、また隣接しているカバー板の他方のカバー板である。
【００１４】
カバー板２０は、全体として矩形の形状を有する薄板状の部材である。同様に、カバー板３０は、全体として矩形の形状を有する薄板状の部材である。カバー板２０は、室内機１００の前面から見てベース板１０の左側端部の側の領域に配置され、カバー板３０は、室内機１００の前面から見てベース板１０の右側端部の側の領域に配置される。すなわち、カバー板２０の右側端部２２とカバー板３０の左側端部３１が対向するよう、カバー板２０及びカバー板３０はベース板１０上に隣接して配設されている。カバー板２０の長手方向の長さは、ベース板１０の長手方向の長さの約１／２である。カバー板３０の長手方向の長さは、ベース板１０の長手方向の長さの約１／２である。すなわち、カバー板２０の長手方向の長さとカバー板３０の長手方向の長さの合計は、ベース板１０の長手方向の長さと等しい。
【００１５】
カバー板２０及びカバー板３０をベース板１０の上側から位置づけ、ベース板１０と、カバー板２０と、カバー板３０とを超音波溶着により接合する。図４に示すように、カバー板２０の長手方向の右側端部２２とカバー板３０の長手方向の左側端部３１とを超音波溶着することにより、カバー板２０とカバー板３０は接合されている。カバー板３０の長手方向の右側端部３２は、ベース板１０のリブ１１の右側端部において下側上下風向板９の内側を向く内周面に当接している。図５に示すように、カバー板３０の前側端部３３は、ベース板１０のリブ１１の前側端部において下側上下風向板９の内側を向く内周面に当接している。カバー板３０の右側端部３２及び前側端部３３とベース板１０のリブ１１とを超音波溶着することにより、カバー板３０とベース板１０は接合されている。カバー板２０の長手方向の左側端部２１は、ベース板１０のリブ１１の左側端部において下側上下風向板９の内側を向く内周面に当接している。カバー板２０の前側端部２３は、カバー板３０の前側端部３３と同様、ベース板１０のリブ１１の前側端部において下側上下風向板９の内側を向く内周面に当接している。この状態で、カバー板２０の左側端部２１及び前側端部２３とベース板のリブ１１とを超音波溶着することにより、カバー板２０とベース板１０は接合されている。
【００１６】
カバー板２０の左側端部２１は、本発明の第１カバー板の第１端部である。カバー板３０の右側端部３２は、本発明の第２カバー板の第２端部である。
【００１７】
図５に示すように、カバー板３０の裏面には長手方向に延びるリブ３４が形成されている。ベース板１０とカバー板３０は、上述の超音波溶着に加えて、リブ３４をベース板１０の裏面に超音波溶着することにより、接合されている。ベース板１０とカバー板３０との間には中空部４０が形成されている。同様に、カバー板２０の裏面には、リブ３４と同様の長手方向に延びるリブが形成されている。ベース板１０とカバー板２０は、上述の超音波溶着に加えて、カバー板２０の裏面のリブをベース板１０の裏面に超音波溶着することにより、接合されている。ベース板１０とカバー板２０との間には、中空部４０と同様の中空部が形成されている。
【００１８】
図６は、本発明の実施の形態１に係る空気調和機の室内機の下側上下風向板におけるカバー板の接合部を示す断面図である。図６は、図４に示す下側上下風向板９を連結部１４よりもやや前寄りの位置で切断して示す断面図である。カバー板２０の右側端部２２には、縁部から外方へ突出する凸部２２ａが、カバー板２０の短手方向に沿って延びるよう形成されている。すなわち、凸部２２ａはカバー板２０に隣接するカバー板３０の側に突出している。凸部２２ａの肉厚は右側端部２２の肉厚より薄く、凸部２２ａは右側端部２２の上面寄りの位置、すなわち上側に形成されており、凸部２２ａにより下側が切り欠かれた形状の段部２２ｂが形成されている。カバー板３０の左側端部３１には、縁部から外方へ突出する凸部３１ａがカバー板３０の短手方向に沿って形成されている。すなわち、凸部３１ａはカバー板３０に隣接するカバー板２０の側に突出している。凸部３１ａは左側端部３１の裏面側に形成されており、凸部３１ａにより下側が切り欠かれた形状の段部３１ｂが形成されている。カバー板３０の段部３１ｂに対しカバー板２０の段部２２ｂを上方向から重ね合わせた状態で、カバー板２０の右側端部２２とカバー板３０の左側端部３１は超音波溶着されている。
【００１９】
以上のように、本実施の形態１によれば、下側上下風向板９は、長尺部材であるベース板１０と２枚の長尺部材であるカバー板２０及び３０とを有している。ベース板１０上において、カバー板２０及び３０は、それぞれ長手方向がベース板１０の長手方向に沿って隣接している。そして、カバー板２０及び３０のそれぞれの長手方向の長さは、ベース板１０の長手方向の長さの約１／２であり、それらの合計がベース板の長手方向の長さと等しい。すなわち、本実施の形態１においては、長手方向の長さがベース板１０よりも短い部材であるカバー板２０及び３０が、ベース板１０上に配置され、ベース板１０とそれぞれ溶着されている。従って、長手方向の長さがベース板と同一のカバー板を配置して、ベース板と溶着する場合に比べ、溶着ずれ及び溶着不足の発生が抑制され、下側上下風向板９の不良数を減らすことができる。すなわち、組立性に優れた下側上下風向板９が得られ、その結果、室内機１００の歩留まりが改善される。
【００２０】
実施の形態２．
図７は、本発明の実施の形態２に係る空気調和機の室内機の下側上下風向板におけるカバー板の接合部の断面を分解して示す図である。図８は、本発明の実施の形態２に係る空気調和機の室内機の下側上下風向板におけるカバー板の接合部の断面を示す図である。尚、本実施の形態２において、下側上下風向板以外の構成は実施の形態１の室内機１００と同様であるので説明を省略する。本実施の形態２に係る室内機の下側上下風向板９０は、ベース板５０と、カバー板５１と、カバー板５２とを備えている。
【００２１】
カバー板５１は、本発明の第１カバー板であり、また、隣接しているカバー板の一方のカバー板である。カバー板５２は、本発明の第２カバー板であり、また隣接しているカバー板の他方のカバー板である。
【００２２】
ベース板５０は長尺部材であり、実施の形態１のベース板１０と同様、全体として矩形の形状を有する薄板状の部材である。ベース板５０の長手方向のには凸部５０ａが形成され、には凸部５０ｂが形成されている。凸部５０ａ及び凸部５０ｂは、それぞれ上下方向の上側に突出しており、ベース板５０の長手方向と交差する短手方向に沿って延びている。ベース板５０の長手方向における中央部には、一対の凸部５０ｃ、５０ｄが形成されている。凸部５０ｃ及び凸部５０ｄは、凸部５０ａ及び５０ｄと同様、ベース板５０の短手方向に沿って延びている。
【００２３】
ベース板５０の左側端部は、本発明のベース板の長手方向の両端部の一方の端部である。ベース板５０の右側端部は、本発明のベース板の長手方向の両端部の他方の端部である。
【００２４】
カバー板５１及びカバー板５２は、実施の形態１のカバー板２０及びカバー板３０と同様、全体として矩形の形状を有する薄板状の部材である。カバー板５１は、室内機の前面から見てベース板５０の左側端部の側の領域に配置され、カバー板５２は、室内機の前面から見てベース板５０の右側端部の側の領域に配置される。すなわち、カバー板５１の右側端部とカバー板５２の左側端部が対向するよう、カバー板５１及びカバー板５２はベース板５０上に隣接して配設されている。カバー板５１の長手方向の長さは、ベース板５０の長手方向の長さの約１／２である。カバー板５２の長手方向の長さは、ベース板５０の長手方向の長さの約１／２である。すなわち、カバー板５１の長手方向の長さとカバー板５２の長手方向の長さとを足した長さは、ベース板５０の長手方向の長さと一致している。
【００２５】
カバー板５１の長手方向の左側端部には、縁部から下側上下風向板９０の外方へ突出する凸部５１ａが形成されている。凸部５１ａは、実施の形態１のカバー板２０の右側端部２２の凸部２２ａと同様、カバー板５１の短手方向に沿って延びるよう形成されている。凸部５１ａの肉厚はカバー板５１の他の部分の肉厚より薄く、凸部５１ａは左側端部の上面寄りの位置、すなわち上側に形成されている。凸部５１ａにより、カバー板５１の左側端部において、下側が切り欠かれた形状の段部５１ｂが形成されている。カバー板５１の長手方向の右側端部には、縁部からカバー板５２の方へ突出する凸部５１ｃが形成されている。凸部５１ｃは、凸部５１ａと同様、カバー板５１の短手方向に沿って延びるよう形成されている。凸部５１ｃの肉厚はカバー板５１の他の部分の肉厚より薄く、凸部５１ｃは右側端部の上面寄りの位置、すなわち上側に形成されている。凸部５１ｃにより、カバー板５１の右側端部において、下側が切り欠かれた形状の段部５１ｄが形成されている。
【００２６】
カバー板５２の長手方向の左側端部には、縁部からカバー板５１の方へ突出する凸部５２ａが形成されている。凸部５２ａは、カバー板５１の左側端部の凸部５１ａと同様、カバー板５２の短手方向に沿って延びるよう形成されている。凸部５２ａの肉厚はカバー板５２の他の部分の肉厚より薄く、凸部５２ａは左側端部の下面寄りの位置、すなわち下側に形成されている。凸部５２ａにより、カバー板５２の左側端部において、上側が切り欠かれた形状の段部５２ｂが形成されている。カバー板５２の長手方向の右側端部には、縁部から下側上下風向板９０の外方へ突出する凸部５２ｃが形成されている。凸部５２ｃは、凸部５２ａと同様、カバー板５２の短手方向に沿って延びるよう形成されている。凸部５２ｃの肉厚はカバー板５２の他の部分の肉厚より薄く、凸部５２ｃは右側端部の上面寄りの位置、すなわち上側に形成されている。凸部５２ｃにより、カバー板５２の右側端部において、下側が切り欠かれた形状の段部５２ｄが形成されている。
【００２７】
カバー板５１の左側端部は、本発明の第１カバー板の第１端部である。カバー板５２の右側端部は、本発明の第２カバー板の第２端部である。
【００２８】
カバー板５１の段部５１ｂをベース板５０の凸部５０ａに嵌合させたとき、カバー板５１の裏面とベース板５０の凸部５０ｃの頂面とが当接するよう、ベース板５０において凸部５０ａ及び凸部５０ｃの上下方向の長さは定められている。カバー板５２の段部５２ｄをベース板５０の凸部５０ｂに嵌合させたとき、カバー板５２の裏面とベース板５０の凸部５０ｄの頂面とが当接するよう、ベース板５０において凸部５０ｂ及び凸部５０ｄの上下方向の長さは定められている。
【００２９】
図８に示すように、カバー板５２の段部５２ｂに対しカバー板５１の段部５１ｄを上方向から嵌合させた状態で、カバー板５１とカバー板５２は超音波溶着により接合されている。また、ベース板５０の凸部５０ａの先端には、カバー板５１の段部５１ｂが上方向から嵌合している。ベース板５０の凸部５０ｂの先端には、カバー板５２の段部５２ｄが上方向から嵌合している。カバー板５１の右側端部の下面とベース板５０の凸部５０ｃの頂面とが当接している。カバー板５２の左側側部の下面とベース板５０の凸部５０ｄの頂面とが当接している。この状態で、ベース板５０とカバー板５１及びカバー板５２とは超音波溶着により接合されている。
【００３０】
以上のように本実施の形態２によれば、下側上下風向板９０は、長尺部材であるベース板５０と２枚の長尺部材であるカバー板５１及び５２とを有しており、実施の形態１と同様、各部材同士が超音波溶着により接合されている。従って、溶着ずれ及び溶着不足の発生が抑制され、下側上下風向板９０の不良数を減らすことができる。すなわち、組立性に優れた下側上下風向板９０が得られ、その結果、室内機の歩留まりが改善される。
【００３１】
さらに、本実施の形態２においては、ベース板５０の凸部５０ａの先端には、カバー板５１の段部５１ｂが上方向から嵌合し、ベース板５０の凸部５０ｂの先端には、カバー板５２の段部５２ｄが上方向から嵌合している。従って、ベース板５０の両端部における接合をより強固なものとすることができる。
【００３２】
実施の形態３．
図９は、本発明の実施の形態３に係る空気調和機の室内機の下側上下風向板におけるカバー板の接合部の断面を分解して示す図である。図１０は、本発明の実施の形態３に係る空気調和機の室内機の下側上下風向板におけるカバー板の接合部の断面を示す図である。尚、本実施の形態３において、下側上下風向板以外の構成は実施の形態１の室内機１００と同様であるので説明を省略する。本実施の形態２に係る室内機の下側上下風向板９１は、ベース板６０と、カバー板６１と、カバー板６２とを備えている。
【００３３】
カバー板６１は、本発明の第１カバー板であり、また、隣接しているカバー板の一方のカバー板である。カバー板６２は、本発明の第２カバー板であり、また隣接しているカバー板の他方のカバー板である。
【００３４】
ベース板６０は長尺部材であり、実施の形態１のベース板１０と同様、全体として矩形の形状を有する薄板状の部材である。ベース板６０の長手方向の左側端部には凸部６０ａが形成されている。凸部６０ａは、上下方向の上側に突出しており、ベース板６０の長手方向と交差する短手方向に沿って延びている。さらに、凸部６０ａの先端は下側上下風向板９１の内側に向かって直角に折り曲げられており、折曲部６０ｅが形成されている。折曲部６０ｅにより下側が切り欠かれた形状の段部６０ｆが構成されている。折曲部６０ｅは凸部６０ａと同様、ベース板６０の短手方向に沿って延びている。ベース板６０の右側端部には凸部６０ｂが形成されている。凸部６０ｂは、上下方向の上側に突出しており、ベース板６０の短手方向に沿って延びている。ベース板６０の長手方向における中央部には、一対の凸部６０ｃ、６０ｄが形成されている。凸部６０ｃ及び凸部６０ｄは、凸部６０ａ及び６０ｄと同様、ベース板６０の短手方向に沿って延びている。
【００３５】
ベース板６０の左側端部は、本発明のベース板の長手方向の両端部の一方の端部である。ベース板６０の右側端部は、本発明のベース板の長手方向の両端部の他方の端部である。
【００３６】
カバー板６１及びカバー板６２は、実施の形態１のカバー板２０及びカバー板３０と同様、全体として矩形の形状を有する薄板状の部材である。カバー板６１は、室内機の前面から見てベース板６０の左側端部の側の領域に配置され、カバー板６２は、室内機の前面から見てベース板６０の右側端部の側の領域に配置される。すなわち、カバー板６１の右側端部とカバー板６２の左側端部が対向するよう、カバー板６１及びカバー板６２はベース板６０上に隣接して配設されている。カバー板６１の長手方向の長さは、ベース板６０の長手方向の長さの約１／２である。カバー板６２の長手方向の長さは、ベース板６０の長手方向の長さの約１／２である。すなわち、カバー板６１の長手方向の長さとカバー板６２の長手方向の長さとを足した長さは、ベース板６０の長手方向の長さと一致している。
【００３７】
カバー板６１の長手方向の左側端部には、縁部から下側上下風向板９１の外方へ突出する凸部６１ａが形成されている。凸部６１ａは、実施の形態１のカバー板２０の右側端部２２の凸部２２ａと同様、カバー板６１の短手方向に沿って延びるよう形成されている。凸部６１ａの肉厚はカバー板６１の他の部分の肉厚より薄く、凸部６１ａは左側端部の下面寄りの位置、すなわち下側に形成されている。凸部６１ａにより、カバー板６１の左側端部において、上側が切り欠かれた形状の段部６１ｂが形成されている。カバー板６１の長手方向の右側端部には、縁部からカバー板６２の方へ突出する凸部６１ｃが形成されている。凸部６１ｃは、凸部６１ａと同様、カバー板６１の短手方向に沿って延びるよう形成されている。凸部６１ｃの肉厚はカバー板６１の他の部分の肉厚より薄く、凸部６１ｃは右側端部の上面寄りの位置、すなわち上側に形成されている。凸部６１ｃにより、カバー板６１の右側端部において、下側が切り欠かれた形状の段部６１ｄが形成されている。
【００３８】
カバー板６２の長手方向の左側端部には、縁部からカバー板６１の方へ突出する凸部６２ａが形成されている。凸部６２ａは、カバー板６１の左側端部の凸部６１ａと同様、カバー板６２の短手方向に沿って延びるよう形成されている。凸部６２ａの肉厚はカバー板６２の他の部分の肉厚より薄く、凸部６２ａは左側端部の下面寄りの位置、すなわち下側に形成されている。凸部６２ａにより、カバー板６２の左側端部において、上側が切り欠かれた形状の段部６２ｂが形成されている。カバー板６２の長手方向の右側端部には、縁部から下側上下風向板９１の外方へ突出する凸部６２ｃが形成されている。凸部６２ｃは、凸部６２ａと同様、カバー板６２の短手方向に沿って延びるよう形成されている。凸部６２ｃの肉厚はカバー板６２の他の部分の肉厚より薄く、凸部６２ｃは右側端部の上面寄りの位置、すなわち上側に形成されている。凸部６２ｃにより、カバー板６２の右側端部において、下側が切り欠かれた形状の段部６２ｄが形成されている。
【００３９】
カバー板６１の左側端部は、本発明の第１カバー板の第１端部である。カバー板６２の右側端部は、本発明の第２カバー板の第２端部である。
【００４０】
カバー板６１の段部６１ｂにベース板６０の折曲部６０ｅが下方向から嵌合するよう、段部６１ｂと折曲部６０ｅの、ベース板６０及びカバー板６１の長手方向における長さは定められている。カバー板６１の段部６１ｂをベース板６０の折曲部６０ｅに嵌合させたとき、カバー板６１の裏面とベース板６０の凸部６０ｃの頂面とが当接するよう、ベース板６０において凸部６０ａ及び凸部６０ｃの上下方向の長さは定められている。カバー板６２の段部６２ｄをベース板６０の凸部６０ｂに嵌合させたとき、カバー板６２の裏面とベース板６０の凸部６０ｄの頂面とが当接するよう、ベース板６０において凸部６０ｂ及び凸部６０ｄの上下方向の長さは定められている。
【００４１】
図１０に示すように、カバー板６２の段部６２ｂに対しカバー板６１の段部６１ｄを上方向から嵌合させた状態で、カバー板６１とカバー板６２は超音波溶着により接合されている。また、ベース板６０の折曲部６０ｅには、カバー板６１の段部６１ｂが下方向から嵌合している。ベース板６０の凸部６０ｂの先端には、カバー板６２の段部６２ｄが上方向から嵌合している。カバー板６１の右側端部の下面とベース板６０の凸部６０ｃの頂面とが当接している。カバー板６２の左側側部の下面とベース板６０の凸部６０ｄの頂面とが当接している。この状態で、ベース板６０とカバー板６１及びカバー板６２とは超音波溶着により接合されている。
【００４２】
以上のように本実施の形態３によれば、下側上下風向板９１は、長尺部材であるベース板６０と２枚の長尺部材であるカバー板６１及び６２とを有しており、実施の形態１と同様、各部材同士が超音波溶着により接合されている。従って、溶着ずれ及び溶着不足の発生が抑制され、下側上下風向板９１の不良数を減らすことができる。すなわち、組立性に優れた下側上下風向板９１が得られ、その結果、室内機の歩留まりが改善される。
【００４３】
さらに、本実施の形態３においては、カバー板６１及び６２は、左側端部は上側が切り欠かれた形状の段部を有し、右側端部は下側が切り欠かれた形状の段部を有しており、全体として同一形状の部材である。従って、下側上下風向板９１の製造において、型費及び部品コストを削減することができ、経済的である。
【００４４】
尚、実施の形態１〜３において、２枚のカバー板がベース板上に配設されているが、これに限るものではない。複数のカバー板のそれぞれの長手方向の長さが、ベース板の長手方向の長さより短く、かつ、複数のカバー板のそれぞれの長手方向の長さの合計が、ベース板の長手方向の長さと一致していれば、３枚以上のカバー板をベース板に配設してもよい。
【符号の説明】
【００４５】
１  筐体、１ａ  吸込口、１ｂ  吹出口、２  送風機、３  熱交換器、４  フィルター、５  吹出口組立品、６  フロントパネル、７  リアガイド、８  上側上下風向板、９  下側上下風向板、１０  ベース板、１１  リブ、１２  連結部、１３  連結部、１４  連結部、２０  カバー板、２１  左側端部、２２  右側端部、２２ａ  凸部、２２ｂ  段部、２３  前側端部、３０  カバー板、３１  左側端部、３１ａ  凸部、３１ｂ  段部、３２  右側端部、３３  前側端部、３４  リブ、４０  中空部、５０  ベース板、５０ａ  凸部、５０ｂ  凸部、５０ｃ  凸部、５０ｄ  凸部、５１  カバー板、５１ａ  凸部、５１ｂ  段部、５１ｃ  凸部、５１ｄ  段部、５２  カバー板、５２ａ  凸部、５２ｂ  段部、５２ｃ  凸部、５２ｄ  段部、６０  ベース板、６０ａ  凸部、６０ｂ  凸部、６０ｃ  凸部、６０ｄ  凸部、６０ｅ  折曲部、６０ｆ  段部、６１  カバー板、６１ａ  凸部、６１ｂ  段部、６１ｃ  凸部、６１ｄ  段部、６２  カバー板、６２ａ  凸部、６２ｂ  段部、６２ｃ  凸部、６２ｄ  段部、９０  下側上下風向板、９１  下側上下風向板、１００  室内機。
【図１】
2018173141.tif 000003
【図２】
2018173141.tif 000004
【図３】
2018173141.tif 000005
【図４】
2018173141.tif 000006
【図５】
2018173141.tif 000007
【図６】
2018173141.tif 000008
【図７】
2018173141.tif 000009
【図８】
2018173141.tif 000010
【図９】
2018173141.tif 000011
【図１０】
2018173141.tif 000012
【手続補正書】
【提出日】令和1年6月26日(2019.6.26)
【手続補正１】
【補正対象書類名】明細書
【補正対象項目名】０００６
【補正方法】変更
【補正の内容】
【０００６】
本発明に係る空気調和機の室内機は、吸込口及び吹出口が形成された筐体と、前記筐体の内側に配設され、前記吸込口から空気を吸い込み、空調された空気を前記吹出口から吹き出す送風機と、前記筐体の内側の、前記吸込口と前記吹出口との間の風路に配設された熱交換器と、前記吹出口から吹き出される空気の上下方向の風向を調整する風向調整板とを備え、前記風向調整板は、前記筐体の前面から見て横方向に延びる長尺部材のベース板と、長尺部材の複数のカバー板とを有し、前記複数のカバー板のそれぞれは、長手方向が前記ベース板の長手方向に沿い、かつ前記複数のカバー板の他のカバー板と隣接するよう、前記ベース板上に配設されており、前記複数のカバー板のそれぞれの長手方向の長さは、前記ベース板の長手方向の長さよりも短く、かつ、前記複数のカバー板のそれぞれの長手方向の長さの合計が前記ベース板の長手方向の長さと等しく、前記隣接しているカバー板の一方のカバー板の両端部のうち、前記隣接しているカバー板の他方のカバー板に対向している端部において、前記他方のカバー板の側に突出する凸部が上側に形成されて下側が切り欠かれた形状の段部が構成され、前記隣接しているカバー板の前記他方のカバー板の両端部のうち、前記一方のカバー板に対向している端部において、前記一方のカバー板の側に突出する凸部が下側に形成されて上側が切り欠かれた形状の段部が構成され、前記一方のカバー板の前記下側が切り欠かれた形状の段部と、前記他方のカバー板の前記上側が切り欠かれた形状の段部とが嵌合して溶着されており、前記ベース板の左側端部及び右側端部には、上方向に突出する凸部がそれぞれ形成され、前記複数のカバー板のうち前記ベース板の左側端部の側に配置される第１カバー板の左側端部において、凸部が上側に形成され下側が切り欠かれた形状の段部が構成され、前記複数のカバー板のうち前記ベース板の右側端部の側に配置される第２カバー板の右側端部において、上側に凸部が形成され下側が切り欠かれた形状の段部が構成され、前記第１カバー板の左側端部の前記下側が切り欠かれた形状の段部と、前記ベース板の左側端部の前記凸部とが嵌合して溶着されており、前記第２カバー板の右側端部の前記下側が切り欠かれた形状の段部と、前記ベース板の右側端部の前記凸部とが嵌合して溶着されているものである。
また、本発明に係る空気調和機の室内機は、吸込口及び吹出口が形成された筐体と、前記筐体の内側に配設され、前記吸込口から空気を吸い込み、空調された空気を前記吹出口から吹き出す送風機と、前記筐体の内側の、前記吸込口と前記吹出口との間の風路に配設された熱交換器と、前記吹出口から吹き出される空気の上下方向の風向を調整する風向調整板とを備え、前記風向調整板は、前記筐体の前面から見て横方向に延びる長尺部材のベース板と、前記ベース板の左側端部の側に配置される長尺部材の第１カバー板と、前記ベース板の右側端部の側に配置される長尺部材の第２カバー板とを有し、前記第１カバー板及び前記第２カバー板は、それぞれ長手方向が前記ベース板の長手方向に沿い、かつ互いに隣接するよう、前記ベース板上に配設されており、前記第１カバー板及び前記第２カバー板のそれぞれの長手方向の長さは、前記ベース板の長手方向の長さよりも短く、かつ、前記第１カバー板の長手方向の長さと前記第２カバー板の長手方向の長さの合計が前記ベース板の長手方向の長さと等しく、前記第１カバー板の右側端部において、前記第２カバー板の側に突出する凸部が上側に形成されて下側が切り欠かれた形状の段部が構成され、前記第２カバー板の左側端部において、前記第１カバー板の側に突出する凸部が下側に形成されて上側が切り欠かれた形状の段部が構成され、前記第１カバー板の右側端部の前記下側が切り欠かれた形状の段部と、前記第２カバー板の左側端部の前記上側が切り欠かれた形状の段部とが嵌合して溶着されており、前記ベース板の左側端部及び右側端部には、上方向に突出する凸部がそれぞれ形成され、前記第１カバー板の左側端部において、凸部が上側に形成されて下側が切り欠かれた形状の段部が構成され、前記第２カバー板の右側端部において、凸部が上側に形成されて下側が切り欠かれた形状の段部が構成され、前記第１カバー板の左側端部の前記下側が切り欠かれた形状の段部と、前記ベース板の左側端部の前記凸部とが嵌合して溶着され、前記第２カバー板の右側端部の前記下側が切り欠かれた形状の段部と、前記ベース板の右側端部の前記凸部とが嵌合して溶着されているものである。
【手続補正２】
【補正対象書類名】特許請求の範囲
【補正対象項目名】全文
【補正方法】変更
【補正の内容】
【特許請求の範囲】
【請求項１】
吸込口及び吹出口が形成された筐体と、
前記筐体の内側に配設され、前記吸込口から空気を吸い込み、空調された空気を前記吹出口から吹き出す送風機と、
前記筐体の内側の、前記吸込口と前記吹出口との間の風路に配設された熱交換器と、
前記吹出口から吹き出される空気の上下方向の風向を調整する風向調整板とを備え、
前記風向調整板は、前記筐体の前面から見て横方向に延びる長尺部材のベース板と、長尺部材の複数のカバー板とを有し、
前記複数のカバー板のそれぞれは、長手方向が前記ベース板の長手方向に沿い、かつ前記複数のカバー板の他のカバー板と隣接するよう、前記ベース板上に配設されており、
前記複数のカバー板のそれぞれの長手方向の長さは、前記ベース板の長手方向の長さよりも短く、かつ、前記複数のカバー板のそれぞれの長手方向の長さの合計が前記ベース板の長手方向の長さと等しく、
前記隣接しているカバー板の一方のカバー板の両端部のうち、前記隣接しているカバー板の他方のカバー板に対向している端部において、前記他方のカバー板の側に突出する凸部が上側に形成されて下側が切り欠かれた形状の段部が構成され、
前記隣接しているカバー板の前記他方のカバー板の両端部のうち、前記一方のカバー板に対向している端部において、前記一方のカバー板の側に突出する凸部が下側に形成されて上側が切り欠かれた形状の段部が構成され、
前記一方のカバー板の前記下側が切り欠かれた形状の段部と、前記他方のカバー板の前記上側が切り欠かれた形状の段部とが嵌合して溶着されており、
前記ベース板の左側端部及び右側端部には、上方向に突出する凸部がそれぞれ形成され、
前記複数のカバー板のうち前記ベース板の左側端部の側に配置される第１カバー板の左側端部において、凸部が上側に形成され下側が切り欠かれた形状の段部が構成され、
前記複数のカバー板のうち前記ベース板の右側端部の側に配置される第２カバー板の右側端部において、上側に凸部が形成され下側が切り欠かれた形状の段部が構成され、
前記第１カバー板の左側端部の前記下側が切り欠かれた形状の段部と、前記ベース板の左側端部の前記凸部とが嵌合して溶着されており、
前記第２カバー板の右側端部の前記下側が切り欠かれた形状の段部と、前記ベース板の右側端部の前記凸部とが嵌合して溶着されている空気調和機の室内機。
【請求項２】
吸込口及び吹出口が形成された筐体と、
前記筐体の内側に配設され、前記吸込口から空気を吸い込み、空調された空気を前記吹出口から吹き出す送風機と、
前記筐体の内側の、前記吸込口と前記吹出口との間の風路に配設された熱交換器と、
前記吹出口から吹き出される空気の上下方向の風向を調整する風向調整板とを備え、
前記風向調整板は、前記筐体の前面から見て横方向に延びる長尺部材のベース板と、前記ベース板の左側端部の側に配置される長尺部材の第１カバー板と、前記ベース板の右側端部の側に配置される長尺部材の第２カバー板とを有し、
前記第１カバー板及び前記第２カバー板は、それぞれ長手方向が前記ベース板の長手方向に沿い、かつ互いに隣接するよう、前記ベース板上に配設されており、
前記第１カバー板及び前記第２カバー板のそれぞれの長手方向の長さは、前記ベース板の長手方向の長さよりも短く、かつ、前記第１カバー板の長手方向の長さと前記第２カバー板の長手方向の長さの合計が前記ベース板の長手方向の長さと等しく、
前記第１カバー板の右側端部において、前記第２カバー板の側に突出する凸部が上側に形成されて下側が切り欠かれた形状の段部が構成され、
前記第２カバー板の左側端部において、前記第１カバー板の側に突出する凸部が下側に形成されて上側が切り欠かれた形状の段部が構成され、
前記第１カバー板の右側端部の前記下側が切り欠かれた形状の段部と、前記第２カバー板の左側端部の前記上側が切り欠かれた形状の段部とが嵌合して溶着されており、
前記ベース板の左側端部及び右側端部には、上方向に突出する凸部がそれぞれ形成され、
前記第１カバー板の左側端部において、凸部が上側に形成されて下側が切り欠かれた形状の段部が構成され、
前記第２カバー板の右側端部において、凸部が上側に形成されて下側が切り欠かれた形状の段部が構成され、
前記第１カバー板の左側端部の前記下側が切り欠かれた形状の段部と、前記ベース板の左側端部の前記凸部とが嵌合して溶着され、
前記第２カバー板の右側端部の前記下側が切り欠かれた形状の段部と、前記ベース板の右側端部の前記凸部とが嵌合して溶着されている空気調和機の室内機。
【国際調査報告】
2018173141.tif 000013
2018173141.tif 000014
2018173141.tif 000015
2018173141.tif 000016